(57)【特許請求の範囲】
【請求項１】
第一ボディーを含み、前記第一ボディーの左側端面には第二ボディーが固定的に設置されており、
前記第二ボディーの中には上方に開口した添加空間が設置され、前記添加空間の中には砂があり、前記添加空間の底壁には第一空き空間が設置され、前記第一空き空間と前記添加空間との間には第一連通溝が連通するように設置され、前記第一空き空間の底壁には固定ロッドが固定的に設置され、前記固定ロッドの中には左右に貫通した第二空き空間が設置され、前記第二空き空間が上方に開口しており、前記第二空き空間の中には前後に延びた第一回転軸が回転できるように設置され、前記第一回転軸には第一円盤が固定的に設置され、前記第一空き空間の後側端壁には前方へ延びた第一主動軸が回転できるように設置され、前記第一主動軸には第二円盤が固定的に設置され、前記第二円盤の中には前方へ延びた第二回転軸が回転できるように設置され、前記第一空き空間の中には第一スライド板がスライドできるように設置され、前記第一スライド板の底面が前記第一円盤の外表面に固定され、前記第一スライド板が終始左方へ傾いており、前記第一スライド板の後側端壁には第三回転軸が回転できるように設置され、前記第三回転軸と前記第二回転軸との間にはヒンジ連結ロッドがヒンジにより連結され、前記第一スライド板の中には上下に貫通した第二連通溝が設置され、前記第二連通溝の中には篩が固定的に設置され、前記第一空き空間と前記添加空間との間には前記篩を上下に揺動させて砂を選別させた砂選別機構が設置されており、
前記第一ボディーの中には上方に開口した撹拌空間が設置され、前記第一空き空間の底壁と前記撹拌空間との間には第一貫穴が連通するように設置され、前記第一ボディーの中の前記第一貫穴の底壁には第一伝動空間が連通するように設置され、前記第一伝動空間の右側端壁には第二伝動空間が設置され、前記第二伝動空間と前記第一伝動空間との間には第四回転軸が回転できるように設置され、前記第一伝動空間の中の前記第四回転軸には第三円盤が固定的に設置され、前記第三円盤の中には前記第四回転軸の片側から離れたところに開口した第一スライド溝が形成され、前記第一スライド溝の中にはスライドブロックがスライドできるように設置され、前記スライドブロックと前記第一スライド溝において前記第四回転軸に近接している側の端壁との間には第一ばねが連結され、前記第一伝動空間と前記第二伝動空間との間には砂塞ぎ機構が設置され、前記砂塞ぎ機構が前記第三円盤を回転させて前記第一スライド溝の遠心力を利用して前記スライドブロックに前記第一貫穴を塞がせ、
ユーザーが前記撹拌空間の中にセメントを添加でき、前記撹拌空間の底壁には第三伝動空間が設置され、前記第三伝動空間と前記撹拌空間との間には第五回転軸が回転できるように設置され、前記撹拌空間の中の前記第五回転軸には第四円盤が固定的に設置され、前記第四円盤には上下に貫通した第二貫穴が左右対称に設置され、前記第二貫穴の中には撹拌棒がスライドできるように設置され、前記撹拌空間の中には前記撹拌棒を利用してセメントと砂とを混合して撹拌する撹拌機構が設置されていることを特徴とする建設現場用ミキサー。
【請求項２】
前記砂選別機構は前記第一空き空間を含み、前記第一空き空間の後側端壁の中には第四伝動空間が設置され、前記第四伝動空間と前記第一空き空間との間の端壁の中には前記第一主動軸と伝動できるように連結された第一モーターが固定的に設置されていることを特徴とする請求項１に記載の建設現場用ミキサー。
【請求項３】
前記第一モーターの後側端壁には第二主動軸が伝動できるように連結され、前記第四伝動空間の中の前記第二主動軸には第一プーリーが固定的に設置され、前記第四伝動空間と前記第一連通溝との間には第六回転軸が回転できるように設置され、前記第四伝動空間の中の前記第六回転軸には第二プーリーが固定的に設置され、前記第二プーリーと前記第一プーリーとの間にはベルトが伝動できるように連結され、前記第一連通溝の中の前記第六回転軸には前記第一連通溝を塞げる第五円盤が固定的に設置され、前記第五円盤の中には前記第六回転軸の片側から離れたところに開口した凹溝が形成されていることを特徴とする請求項２に記載の建設現場用ミキサー。
【請求項４】
前記砂塞ぎ機構は前記第二伝動空間を含み、前記第二伝動空間と前記第三伝動空間との間の端壁の中には第二モーターが固定的に設置され、前記第二モーターの左端には前記第二伝動空間の中に挿入された第三主動軸が伝動できるように連結され、前記第二伝動空間の中の前記第三主動軸には第一円形歯車が固定的に設置され、前記第二伝動空間の中の前記第四回転軸には前記第一円形歯車と噛み合った第二円形歯車が固定的に設置されていることを特徴とする請求項３に記載の建設現場用ミキサー。
【請求項５】
前記撹拌空間の中には第二スライド板がスライドできるように設置され、前記撹拌棒と前記第二スライド板の頂面とが当接しており、前記第二スライド板の中には上下に貫通した第三貫穴が設置され、前記第五回転軸が前記第三貫穴の中に挿入され、前記第二スライド板と前記撹拌空間の底壁との間には第二ばねが連結され、前記撹拌空間の底壁には前記第二モーターと通電できるように連結されたスイッチが固定的に設置されていることを特徴とする請求項１に記載の建設現場用ミキサー。
【請求項６】
前記第二モーターの前端には前記第三伝動空間の中に挿入された第五主動軸が伝動できるように連結され、前記第三伝動空間の中の前記第五主動軸には第一傘歯車が固定的に設置され、前記第三伝動空間の中の前記第五回転軸には前記第一傘歯車と噛み合った第二傘歯車が固定的に設置されていることを特徴とする請求項５に記載の建設現場用ミキサー。
【請求項７】
前記撹拌空間の左側端壁には第二スライド溝が連通するように設置され、前記第二スライド溝の中には前記撹拌空間を塞ぐ鉄板がスライドできるように設置され、前記第二スライド溝の左側端壁には前記スイッチと通電できるように連結された電磁石が固定的に設置され、前記電磁石と前記鉄板との間には第三ばねが連結されていることを特徴とする請求項６に記載の建設現場用ミキサー。
【発明の詳細な説明】
【技術分野】
【０００１】
本発明はセメント生産分野を取り上げて、具体的には建設現場用ミキサーである。
【背景技術】
【０００２】
周知のように、セメントは建設工程材料であり、セメントは通常、砂と混ざてセメントモルタルを形成する必要がある。従来のミキサーを使用してセメントを混合する前に、労働者は自分で砂を選別する必要があり、時間と労力がかかり、自動化程度は低くなり、同時に砂を選別するとき、労働者は砂を複数回選別網に加える必要があり、選別効率は低い。また、従来のミキサーは混合中に添加される砂の量を制御できず、異なるバッチで混合されたセメントモルタルの組成比は明らかに異なり、全体性は弱い。従って、建設現場用ミキサーを設計して上記問題を解決する必要がある。
【先行技術文献】
【特許文献】
【０００３】
【特許文献１】中国特許出願公開第１０５４７８０４７号明細書
【発明の概要】
【発明が解決しようとする課題】
【０００４】
本願発明が解決しようとする技術問題は建設現場用ミキサーを提供し、砂を選別し、砂とセメントを定量的に撹拌することができ、同時に、操作は簡単で明確で、安全で信頼性がある。
【課題を解決するための手段】
【０００５】
本発明は以下の技術プランを通じて実現する：
【０００６】
建設現場用ミキサーは、第一ボディーを含み、前記第一ボディーの左側端面には第二ボディーが固定的に設置されている。
【０００７】
前記第二ボディーの中には上方に開口した添加空間が設置され、前記添加空間の中には砂があり、前記添加空間の底壁には第一空き空間が設置され、前記第一空き空間と前記添加空間との間には第一連通溝が連通するように設置され、前記第一空き空間の底壁には固定ロッドが固定的に設置され、前記固定ロッドの中には左右に貫通した第二空き空間が設置され、前記第二空き空間が上方に開口しており、前記第二空き空間の中には前後に延びた第一回転軸が回転できるように設置され、前記第一回転軸には第一円盤が固定的に設置され、前記第一空き空間の後側端壁には前方へ延びた第一主動軸が回転できるように設置され、前記第一主動軸には第二円盤が固定的に設置され、前記第二円盤の中には前方へ延びた第二回転軸が回転できるように設置され、前記第一空き空間の中には第一スライド板がスライドできるように設置され、前記第一スライド板の底面が前記第一円盤の外表面に固定され、前記第一スライド板が終始左方へ傾いており、前記第一スライド板の後側端壁には第三回転軸が回転できるように設置され、前記第三回転軸と前記第二回転軸との間にはヒンジ連結ロッドがヒンジにより連結され、前記第一スライド板の中には上下に貫通した第二連通溝が設置され、前記第二連通溝の中には篩が固定的に設置され、前記第一空き空間と前記添加空間との間には前記篩を上下に揺動させて砂を選別させた砂選別機構が設置されている。
【０００８】
前記第一ボディーの中には上方に開口した撹拌空間が設置され、前記第一空き空間の底壁と前記撹拌空間との間には第一貫穴が連通するように設置され、前記第一ボディーの中の前記第一貫穴の底壁には第一伝動空間が連通するように設置され、前記第一伝動空間の右側端壁には第二伝動空間が設置され、前記第二伝動空間と前記第一伝動空間との間には第四回転軸が回転できるように設置され、前記第一伝動空間の中の前記第四回転軸には第三円盤が固定的に設置され、前記第三円盤の中には前記第四回転軸の片側から離れたところに開口した第一スライド溝が形成され、前記第一スライド溝の中にはスライドブロックがスライドできるように設置され、前記スライドブロックと前記第一スライド溝において前記第四回転軸に近接している側の端壁との間には第一ばねが連結され、前記第一伝動空間と前記第二伝動空間との間には砂塞ぎ機構が設置され、前記砂塞ぎ機構が前記第三円盤を回転させて前記第一スライド溝の遠心力を利用して前記スライドブロックに前記第一貫穴を塞がせる。
【０００９】
ユーザーが前記撹拌空間の中にセメントを添加でき、前記撹拌空間の底壁には第三伝動空間が設置され、前記第三伝動空間と前記撹拌空間との間には第五回転軸が回転できるように設置され、前記撹拌空間の中の前記第五回転軸には第四円盤が固定的に設置され、前記第四円盤には上下に貫通した第二貫穴が左右対称に設置され、前記第二貫穴の中には撹拌棒がスライドできるように設置され、前記撹拌空間の中には前記撹拌棒を利用してセメントと砂とを混合して撹拌する撹拌機構が設置されている。
【００１０】
更に、前記砂選別機構は前記第一空き空間を含み、前記第一空き空間の後側端壁の中には第四伝動空間が設置され、前記第四伝動空間と前記第一空き空間との間の端壁の中には前記第一主動軸と伝動できるように連結された第一モーターが固定的に設置されている。
【００１１】
更に、前記第一モーターの後側端壁には第二主動軸が伝動できるように連結され、前記第四伝動空間の中の前記第二主動軸には第一プーリーが固定的に設置され、前記第四伝動空間と前記第一連通溝との間には第六回転軸が回転できるように設置され、前記第四伝動空間の中の前記第六回転軸には第二プーリーが固定的に設置され、前記第二プーリーと前記第一プーリーとの間にはベルトが伝動できるように連結され、前記第一連通溝の中の前記第六回転軸には前記第一連通溝を塞げる第五円盤が固定的に設置され、前記第五円盤の中には前記第六回転軸の片側から離れたところに開口した凹溝が形成されている。
【００１２】
更に、前記砂塞ぎ機構は前記第二伝動空間を含み、前記第二伝動空間と前記第三伝動空間との間の端壁の中には第二モーターが固定的に設置され、前記第二モーターの左端には前記第二伝動空間の中に挿入された第三主動軸が伝動できるように連結され、前記第二伝動空間の中の前記第三主動軸には第一円形歯車が固定的に設置され、前記第二伝動空間の中の前記第四回転軸には前記第一円形歯車と噛み合った第二円形歯車が固定的に設置されている。
【００１３】
更に、前記撹拌空間の中には第二スライド板がスライドできるように設置され、前記撹拌棒と前記第二スライド板の頂面とが当接しており、前記第二スライド板の中には上下に貫通した第三貫穴が設置され、前記第五回転軸が前記第三貫穴の中に挿入され、前記第二スライド板と前記撹拌空間の底壁との間には第二ばねが連結され、前記撹拌空間の底壁には前記第二モーターと通電できるように連結されたスイッチが固定的に設置されている。
【００１４】
更に、前記第二モーターの前端には前記第三伝動空間の中に挿入された第五主動軸が伝動できるように連結され、前記第三伝動空間の中の前記第五主動軸には第一傘歯車が固定的に設置され、前記第三伝動空間の中の前記第五回転軸には前記第一傘歯車と噛み合った第二傘歯車が固定的に設置されている。
【００１５】
更に、前記撹拌空間の左側端壁には第二スライド溝が連通するように設置され、前記第二スライド溝の中には前記撹拌空間を塞ぐ鉄板がスライドできるように設置され、前記第二スライド溝の左側端壁には前記スイッチと通電できるように連結された電磁石が固定的に設置され、前記電磁石と前記鉄板との間には第三ばねが連結されている。
【発明の効果】
【００１６】
本願発明の有益な効果は：本願発明の装置は砂を選別し、砂とセメントを定量的に撹拌することができ、操作は簡単で明確で、安全で信頼性があり、一回の撹拌量が大きく、効率が高く、運動エネルギーの利用が十分である。同時に、毎回撹拌するとき定量的に砂を加え、複数のバッチで攪拌されるセメントの品質は毎回一貫しており、また、本発明装置は選別用の砂を少しずつ自動的に追加できるため、従来の人による選別方法と比較して、頻繁に砂を追加する必要がなく、自動化程度が高い。
【図面の簡単な説明】
【００１７】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１８】
【図１】図１は本願発明の実施例の機械構造概略図
【図２】図２は図１のＢの拡大構造概略図
【図３】図３は図１のＣの拡大構造概略図
【図４】図４は図１のＡ―Ａの構造概略図
【発明を実施するための形態】
【００１９】
図１〜４を参考し、建設現場用ミキサーは、第一ボディー６７を含み、前記第一ボディー６７の左側端面には第二ボディー１０が固定的に設置されている。
【００２０】
前記第二ボディー１０の中には上方に開口した添加空間１１が設置され、前記添加空間１１の中には砂があり、前記添加空間１１の底壁には第一空き空間１３が設置され、前記第一空き空間１３と前記添加空間１１との間には第一連通溝１２が連通するように設置され、前記第一空き空間１３の底壁には固定ロッド４２が固定的に設置され、前記固定ロッド４２の中には左右に貫通した第二空き空間４０が設置され、前記第二空き空間４０が上方に開口しており、前記第二空き空間４０の中には前後に延びた第一回転軸３９が回転できるように設置され、前記第一回転軸３９には第一円盤３８が固定的に設置され、前記第一空き空間１３の後側端壁には前方へ延びた第一主動軸６０が回転できるように設置され、前記第一主動軸６０には第二円盤６１が固定的に設置され、前記第二円盤６１の中には前方へ延びた第二回転軸６２が回転できるように設置され、前記第一空き空間１３の中には第一スライド板１４がスライドできるように設置され、前記第一スライド板１４の底面が前記第一円盤３８の外表面に固定され、前記第一スライド板１４が終始左方へ傾いており、前記第一スライド板１４の後側端壁には第三回転軸６４が回転できるように設置され、前記第三回転軸６４と前記第二回転軸６２との間にはヒンジ連結ロッド６３がヒンジにより連結され、前記第一スライド板１４の中には上下に貫通した第二連通溝１６が設置され、前記第二連通溝１６の中には篩１５が固定的に設置され、前記第一空き空間１３と前記添加空間１１との間には前記篩１５を上下に揺動させて砂を選別させた砂選別機構９０が設置されている。
【００２１】
前記第一ボディー６７の中には上方に開口した撹拌空間３２が設置され、前記第一空き空間１３の底壁と前記撹拌空間３２との間には第一貫穴１７が連通するように設置され、前記第一ボディー６７の中の前記第一貫穴１７の底壁には第一伝動空間４８が連通するように設置され、前記第一伝動空間４８の右側端壁には第二伝動空間５２が設置され、前記第二伝動空間５２と前記第一伝動空間４８との間には第四回転軸４７が回転できるように設置され、前記第一伝動空間４８の中の前記第四回転軸４７には第三円盤４３が固定的に設置され、前記第三円盤４３の中には前記第四回転軸４７の片側から離れたところに開口した第一スライド溝４４が形成され、前記第一スライド溝４４の中にはスライドブロック４５がスライドできるように設置され、前記スライドブロック４５と前記第一スライド溝４４において前記第四回転軸４７に近接している側の端壁との間には第一ばね４６が連結され、前記第一伝動空間４８と前記第二伝動空間５２との間には砂塞ぎ機構９１が設置され、前記砂塞ぎ機構９１が前記第三円盤４３を回転させて前記第一スライド溝４４の遠心力を利用して前記スライドブロック４５に前記第一貫穴１７を塞がせる。
【００２２】
ユーザーが前記撹拌空間３２の中にセメントを添加でき、前記撹拌空間３２の底壁には第三伝動空間２１が設置され、前記第三伝動空間２１と前記撹拌空間３２との間には第五回転軸２７が回転できるように設置され、前記撹拌空間３２の中の前記第五回転軸２７には第四円盤３１が固定的に設置され、前記第四円盤３１には上下に貫通した第二貫穴２８が左右対称に設置され、前記第二貫穴２８の中には撹拌棒２９がスライドできるように設置され、前記撹拌空間３２の中には前記撹拌棒２９を利用してセメントと砂とを混合して撹拌する撹拌機構９２が設置されている。
【００２３】
前記砂選別機構９０は前記第一空き空間１３を含み、前記第一空き空間１３の後側端壁の中には第四伝動空間５３が設置され、前記第四伝動空間５３と前記第一空き空間１３との間の端壁の中には前記第一主動軸６０と伝動できるように連結された第一モーター５９が固定的に設置されている。
【００２４】
前記第一モーター５９の後側端壁には第二主動軸５８が伝動できるように連結され、前記第四伝動空間５３の中の前記第二主動軸５８には第一プーリー５７が固定的に設置され、前記第四伝動空間５３と前記第一連通溝１２との間には第六回転軸５５が回転できるように設置され、前記第四伝動空間５３の中の前記第六回転軸５５には第二プーリー５４が固定的に設置され、前記第二プーリー５４と前記第一プーリー５７との間にはベルト５６が伝動できるように連結され、前記第一連通溝１２の中の前記第六回転軸５５には前記第一連通溝１２を塞げる第五円盤６５が固定的に設置され、前記第五円盤６５の中には前記第六回転軸５５の片側から離れたところに開口した凹溝６６が形成され、前記第一モーター５９が始動した後、前記第一モーター５９が前記第一主動軸６０と前記第二主動軸５８とを回転させ、前記第一主動軸６０が前記第二円盤６１を回転させ、前記第二円盤６１が前記第二回転軸６２を駆動して前記第一主動軸６０を中心として回転させ、前記第二円盤６１が前記ヒンジ連結ロッド６３を通じて前記第三回転軸６４と前記第一スライド板１４とを前記第一空き空間１３の中で上下にスライドさせ、この時前記第一スライド板１４が前記第一回転軸３９の中心を中心として上下に揺動し、同時に、前記第二主動軸５８が回転して前記第一プーリー５７を回転させ、前記第一プーリー５７が前記ベルト５６を通じて前記第二プーリー５４を回転させ、前記第二プーリー５４が前記第五円盤６５を回転させ、前記第五円盤６５が前記凹溝６６を回転させ、前記凹溝６６が回転した後、前記添加空間１１の中の砂を少しずつ前記第一空き空間１３の中に送って砂を前記篩１５に落とすことができ、この時前記第一スライド板１４が前記篩１５を上下に揺動させて砂を選別して砂の中の小さい石を選別し、砂が前記篩１５を経過して前記第一貫穴１７の中に入る。
【００２５】
前記砂塞ぎ機構９１は前記第二伝動空間５２を含み、前記第二伝動空間５２と前記第三伝動空間２１との間の端壁の中には第二モーター１８が固定的に設置され、前記第二モーター１８の左端には前記第二伝動空間５２の中に挿入された第三主動軸４９が伝動できるように連結され、前記第二伝動空間５２の中の前記第三主動軸４９には第一円形歯車５０が固定的に設置され、前記第二伝動空間５２の中の前記第四回転軸４７には前記第一円形歯車５０と噛み合った第二円形歯車５１が固定的に設置され、前記第二モーター１８が起動した後、前記第二モーター１８が前記第三主動軸４９を回転させ、前記第三主動軸４９が前記第一円形歯車５０を回転させ、前記第一円形歯車５０が前記第二円形歯車５１を回転させ、前記第二円形歯車５１が前記第三円盤４３を回転させ、前記第三円盤４３が前記スライドブロック４５を回転させ、この時前記スライドブロック４５が遠心力の作用により前記第四回転軸４７から離れた方向へスライドし、すなわち、前記スライドブロック４５がスライドして前記第一貫穴１７の中に挿入されて前記貫穴１７を塞ぐ。
【００２６】
前記撹拌空間３２の中には第二スライド板２６がスライドできるように設置され、前記撹拌棒２９と前記第二スライド板２６の頂面とが当接しており、前記第二スライド板２６の中には上下に貫通した第三貫穴２５が設置され、前記第五回転軸２７が前記第三貫穴２５の中に挿入され、前記第二スライド板２６と前記撹拌空間３２の底壁との間には第二ばね２３が連結され、前記撹拌空間３２の底壁には前記第二モーター１８と通電できるように連結されたスイッチ２４が固定的に設置されている。
【００２７】
前記第二モーター１８の前端には前記第三伝動空間２１の中に挿入された第五主動軸１９が伝動できるように連結され、前記第三伝動空間２１の中の前記第五主動軸１９には第一傘歯車２０が固定的に設置され、前記第三伝動空間２１の中の前記第五回転軸２７には前記第一傘歯車２０と噛み合った第二傘歯車２２が固定的に設置されている。
【００２８】
前記撹拌空間３２の左側端壁には第二スライド溝３５が連通するように設置され、前記第二スライド溝３５の中には前記撹拌空間３２を塞ぐ鉄板３３がスライドできるように設置され、前記第二スライド溝３５の左側端壁には前記スイッチ２４と通電できるように連結された電磁石３７が固定的に設置され、前記電磁石３７と前記鉄板３３との間には第三ばね３６が連結され、前記第一貫穴１７の中の砂が重力の作用により前記撹拌空間３２の中に入って前記第二スライド板２６の頂面に落ち、前記第二スライド板２６の頂面に多くの砂がたまると、前記第二スライド板２６が砂の重力を受けて下方へスライドして前記スイッチ２４を押し、前記スイッチ２４が押されて前記第二モーター１８を始動し、前記電磁石３７を通電させ、前記第二モーター１８が起動した後前記第五主動軸１９を回転させ、前記第五主動軸１９が前記第一傘歯車２０を回転させ、前記第一傘歯車２０が前記第二傘歯車２２を回転させ、前記第二傘歯車２２が前記第四円盤３１を回転させ、前記第四円盤３１が前記撹拌棒２９を前記撹拌空間３２の中で撹拌させ、同時に、前記電磁石３７が通電して磁力を生成して前記鉄板３３を吸引し、前記鉄板３３が磁力を受けて左方へスライドして前記撹拌空間３２を塞がなくなり、このときユーザーが前記撹拌空間３２の中にセメントと添加でき、添加し終わったら、前記撹拌棒２９がセメントと砂とを均一に混合して撹拌を完成する。
【００２９】
設備全体の機械動作の流れ：
１．まず、ユーザーが前記添加空間１１の中に砂を添加し、そして前記第一モーター５９を始動する。
２．  前記第一モーター５９が始動した後、前記第一モーター５９が前記第一主動軸６０と前記第二主動軸５８とを回転させ、前記第一主動軸６０が前記第二円盤６１を回転させ、前記第二円盤６１が前記第二回転軸６２を駆動して前記第一主動軸６０を中心として回転させ、前記第二円盤６１が前記ヒンジ連結ロッド６３を通じて前記第三回転軸６４と前記第一スライド板１４とを前記第一空き空間１３の中で上下にスライドさせ、この時前記第一スライド板１４が前記第一回転軸３９の中心を中心として上下に揺動する。
３．  同時に、前記第二主動軸５８が回転して前記第一プーリー５７を回転させ、前記第一プーリー５７が前記ベルト５６を通じて前記第二プーリー５４を回転させ、前記第二プーリー５４が前記第五円盤６５を回転させ、前記第五円盤６５が前記凹溝６６を回転させ、前記凹溝６６が回転した後、前記添加空間１１の中の砂を少しずつ前記第一空き空間１３の中に送って砂を前記篩１５に落とすことができ、この時前記第一スライド板１４が前記篩１５を上下に揺動させて砂を選別して砂の中の小さい石を選別し、砂が前記篩１５を経過して前記第一貫穴１７の中に入り、本発明装置は選別用の砂を少しずつ自動的に追加できるため、従来の人による選別方法と比較して、頻繁に砂を追加する必要がなく、自動化程度が高い。
４．  前記第一貫穴１７の中の砂が重力の作用により前記撹拌空間３２の中に入って前記第二スライド板２６の頂面に落ち、前記第二スライド板２６の頂面に多くの砂がたまると、前記第二スライド板２６が砂の重力を受けて下方へスライドして前記スイッチ２４を押し、前記スイッチ２４が押されて前記第二モーター１８を始動し、前記電磁石３７を通電させ、前記第二モーター１８が起動した後前記第五主動軸１９と前記第三主動軸４９とを回転させる。
５．  前記第三主動軸４９が回転するとき、前記第三主動軸４９が前記第一円形歯車５０を回転させ、前記第一円形歯車５０が前記第二円形歯車５１を回転させ、前記第二円形歯車５１が前記第三円盤４３を回転させ、前記第三円盤４３が前記スライドブロック４５を回転させ、この時前記スライドブロック４５が遠心力の作用により前記第四回転軸４７から離れた方向へスライドし、すなわち、前記スライドブロック４５がスライドして前記第一貫穴１７の中に挿入されて前記貫穴１７を塞ぎ、本願発明の装置は毎回撹拌するとき定量的に砂を加え、複数のバッチで攪拌されるセメントの品質は毎回一貫している。
６．  前記第五主動軸１９が回転するとき、前記第五主動軸１９が前記第一傘歯車２０を回転させ、前記第一傘歯車２０が前記第二傘歯車２２を回転させ、前記第二傘歯車２２が前記第四円盤３１を回転させ、前記第四円盤３１が前記撹拌棒２９を前記撹拌空間３２の中で撹拌させ、同時に、前記電磁石３７が通電して磁力を生成して前記鉄板３３を吸引し、前記鉄板３３が磁力を受けて左方へスライドして前記撹拌空間３２を塞がなくなり、ユーザーは前記鉄板３３が前記撹拌空間３２を塞がなくなることを観察したとき、ユーザーが前記撹拌空間３２の中にセメントを添加でき、ユーザーがセメントを添加し終わったら、前記撹拌棒２９がセメントと砂とを均一に混合して撹拌を完成し、操作は簡単で明確で、安全で信頼性があり、一回の撹拌量が大きく、効率が高く、運動エネルギーの利用が十分である。
【００３０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【要約】
【課題】本発明は建設現場用ミキサーを開示した。
【解決手段】
第一ボディーを含み、前記第一ボディーの左側端面には第二ボディーが固定的に設置され、前記第二ボディーの中には上方に開口した添加空間が設置され、前記添加空間の中には砂があり、前記添加空間の底壁には第一空き空間が設置され、前記第一空き空間と前記添加空間との間には第一連通溝が連通するように設置され、前記第一空き空間の底壁には固定ロッドが固定的に設置され、前記固定ロッドの中には左右に貫通した第二空き空間が設置され、前記第二空き空間が上方に開口しており、前記第二空き空間の中には前後に延びた第一回転軸が回転できるように設置されている。
【選択図】図１【図１】
0006755440.tif 000002
【図２】
0006755440.tif 000003
【図３】
0006755440.tif 000004
【図４】
0006755440.tif 000005